(57)【要約】【課題】整流器のDC電圧を制御するため、サイリスタを一括点弧する点弧角を求め、従来に比して装置を小型化、製造コストを低減するインバータ装置を提供する。【解決手段】本発明のインバータ装置は、3相交流を整流する複数のサイリスタからなる整流部と、コンデンサの蓄積電圧から交流出力を生成するインバータ部と、負荷での無効電力及び有効電力を示す瞬時電力値を測定する測定部と、蓄積電圧を検出する検出部と、3相交流のゼロクロス検出を行い、ゼロクロス間の位相角を求める位相角算出部と、供給余裕電力と位相角との対応をモデル化した点弧電力曲線を記憶する点弧電力モデル記憶部と、蓄積電圧及び設定電圧の差分でPID演算し、点弧角を求める主制御部と、点弧電力曲線で、点弧角と点弧角調整量とから、一括点弧する制御点弧角を求める副制御部と、位相角算出部の位相角と、制御点弧角とを比較し、複数のサイリスタを一括点弧する点弧制御部とを有する。【選択図】図１
2010017062.tif 000002
【特許請求の範囲】
【請求項１】
３相交流を直流電圧に変換する、複数のサイリスタからなる整流部と、
該整流部の整流した整流電圧を蓄積するコンデンサと、
該コンデンサに蓄積された整流電圧から、交流出力を生成するインバータ部と、
前記交流出力が負荷に供給された際に発生する無効電力及び有効電力を示す瞬時電力値を、一定周期にて測定する測定部と、
前記コンデンサに蓄積される蓄積電圧を検出し、検出電圧として出力する検出部と、
前記３相交流におけるいずれか１相のゼロクロス検出により、各相のゼロクロスのタイミングを算出し、ゼロクロス間の位相角を出力する位相角算出部と、
各位相角により前記サイリスタを一括点弧した際に、前記３相交流からの供給余裕電力と位相角との対応をモデル化した点弧電力曲線を記憶する点弧電力モデル記憶部と、
前記コンデンサに蓄積される蓄積電圧を、予め設定された設定電圧と前記検出電圧との差分によりＰＩＤ制御して、サイリスタを一括点弧する点弧角を求める主制御部と、
前記点弧電力曲線を用いて、前記点弧角と前記瞬時電力値とから、前記サイリスタを一括点弧する制御点弧角を求め副制御部と、
前記位相角算出部の出力する位相角が、前記制御点弧角となるか否かを検出し、該位相角が該制御点弧角を超えたことを検出すると前記複数のサイリスタを一括点弧する点弧制御部と
を有するインバータ装置。
【請求項２】
前記設定電圧に維持できるように、
前記主制御部が前記設定電圧と前記検出電圧との差分を基に、前記点弧角をＰＩＤ制御により算出し、
前記点弧制御部が前記点弧角に対応する供給余裕電力に対し、前記瞬時電力値を、該電力値の極性に対応させて反映させ、反映結果の電力値に対応する点弧角を求め、該この点弧角を制御点弧角として出力する
ことを特徴とする請求項１記載のインバータ装置。
【請求項３】
前記点弧制御部が、
前記測定周期毎の前記瞬時電力値に基づき、該瞬時電力値が有効電力の場合、前記供給余裕電力に対し前記瞬時電力値を加算し、一方、前記瞬時電力値が無効電力の場合、前記供給余裕電力から前記瞬時電力値を減算し、算出結果の電力値に対応する点弧角を前記点弧電力曲線から求め、制御点弧角とする
ことを特徴とする請求項２に記載のインバータ装置。
【発明の詳細な説明】
【技術分野】
【０００１】
本発明は、自己消弧型半導体素子、例えばサイリスタを適用したインバータ装置に関する。
【背景技術】
【０００２】
一般に、インバータ装置は、入力された交流をサイリスタからなる整流器によりＤＣ電圧を得て、これを所定の周波数の交流波形として出力するインバータとからなる。
従来のサイリスタの整流器は、入力される交流の周期を基に、サイリスタをオンする位相角（点弧角）を位相制御し、入力される交流の周波数が変動したとしても点弧角が変化しない制御を行いＤＣ電圧を安定化している（例えば、特許文献１参照）。
しかしながら、特許文献１は、入力される交流が１相であり、かつ負荷が変動した際のＤＣ電圧の変動に対して、何ら制御を行わないため、ＤＣ電圧が変動した際、負荷に与える交流出力が変動してリップルなどが発生して歪率が増加する欠点がある。
【０００３】
そのため、３相交流が入力され、整流器における整流電圧の変動の対策として、それぞれのサイリスタの点弧角を個別に制御するインバータ装置がある（例えば、特許文献２）。
【特許文献１】特開平５７−６２７７０号公報
【特許文献２】特開２００７−２１３９６２号公報
【発明の開示】
【発明が解決しようとする課題】
【０００４】
しかしながら、特許文献２にあっては、３相交流に対して接続されるそれぞれのサイリスタ各々の点弧角を制御するための回路が必要となり、装置が大型化し、製造コストが増大する欠点を有している。
本発明は、このような事情に鑑みてなされたもので、整流器におけるＤＣ電圧を制御するため、サイリスタを一括点弧させる点弧角を簡易な回路により求め、従来に比較して装置を小型化し、製造コストを低減するインバータ装置を提供することを目的とする。
【課題を解決するための手段】
【０００５】
本発明のインバータ装置は、３相交流を直流電圧に変換する、複数のサイリスタからなる整流部と、該整流部の整流した整流電圧を蓄積するコンデンサと、該コンデンサに蓄積された整流電圧から、交流出力を生成するインバータ部と、前記交流出力が負荷に供給された際に発生する無効電力及び有効電力を示す瞬時電力値を、一定周期にて測定する測定部と、前記コンデンサに蓄積される蓄積電圧を検出し、検出電圧として出力する検出部と、前記３相交流におけるいずれか１相のゼロクロス検出により、各相のゼロクロスのタイミングを算出し、ゼロクロス間の位相角を出力する位相角算出部と、各位相角により前記サイリスタを一括点弧した際に、前記３相交流からの供給余裕電力と位相角との対応をモデル化した点弧電力曲線を記憶する点弧電力モデル記憶部と、前記コンデンサに蓄積される蓄積電圧を、予め設定された設定電圧と前記検出電圧との差分によりＰＩＤ制御して、サイリスタを一括点弧する点弧角を求める主制御部と、前記点弧電力曲線を用いて、前記点弧角と前記瞬時電力値とから、前記サイリスタを一括点弧する制御点弧角を求め副制御部と、前記位相角算出部の出力する位相角が、前記制御点弧角となるか否かを検出し、該位相角が該制御点弧角を超えたことを検出すると前記複数のサイリスタを一括点弧する点弧制御部とを有する。
【０００６】
本発明のインバータ装置は、前記設定電圧に維持できるように、前記主制御部が前記設定電圧と前記検出電圧との差分を基に、前記点弧角をＰＩＤ制御により算出し、前記点弧制御部が前記点弧角に対応する供給余裕電力に対し、前記瞬時電力値を、該電力値の極性に対応させて反映させ、反映結果の電力値に対応する点弧角を求め、該この点弧角を制御点弧角として出力することを特徴とする。
【０００７】
本発明のインバータ装置は、前記点弧制御部が、前記測定周期毎の前記瞬時電力値に基づき、該瞬時電力値が有効電力の場合、前記供給余裕電力に対し前記瞬時電力値を加算し、一方、前記瞬時電力値が無効電力の場合、前記供給余裕電力から前記瞬時電力値を減算し、算出結果の電力値に対応する点弧角を前記点弧電力曲線から求め、制御点弧角とする  ことを特徴とする。
【発明の効果】
【０００８】
以上説明したように、本発明によれば、ＰＩＤ制御によりコンデンサに蓄積される電圧の検出電圧と、この検出電圧値と、予め設定された設定電圧値との差分によりＰＩＤ制御を行い、コンデンサに蓄積される電圧を一定に保つためのサイリスタの点弧角を求めるとともに、負荷の変動により、コンデンサから負荷へ供給される、あるいは負荷からコンデンサに回生される瞬時電力値を検出し、この瞬時電力値が回生の場合、前記点弧角を遅らせ、一方、瞬時電力値が供給の場合、前記点弧角を早め、サイリスタを一括点弧する制御位相角を求めるため、コンデンサの電圧の変動に対応して求まる点弧角に、負荷変動による影響が反映されることになる。これにより、本発明によれば、ＰＩＤ制御にては追随できないコンデンサに蓄積される電圧変動に対する予測制御を行うことができ、インバータの交流出力の波形の歪率を低減させることができる。
【０００９】
また、本発明によれば、整流器のサイリスタを一括点弧したときにおける供給できる電力値を、３相交流の位相角毎に示す点弧電力曲線を、予め求めて点弧電力モデル部に記憶していることにより、主制御部の算出した点弧角から加算（瞬時電力値が供給の場合）あるいは減算（瞬時電力値が回生の場合）する位相範囲を、各位相角毎に瞬時電力値に対応させて簡易な回路にて容易に求めることができ、回路規模を従来例に比較して小型化し、製造コストを低減することができる。
【発明を実施するための最良の形態】
【００１０】
＜第１の実施形態＞
以下、本発明の第１の実施形態によるインバータ装置を図面を参照して説明する。図１は同実施形態によるインバータ装置の構成例を示すブロック図である。
この図において、インバータ装置は、整流器１、コンデンサ２、電圧検出部３、インバータ４、チョークコイル５、コンデンサ６、電流検出部７、電圧検出部８及び制御部９を有している。図１において、１０は本実施形態のインバータ装置が交流電力を供給する負荷である。ここで、コンデンサ６は負荷に対する交流出力の力率改善用に設けられている。また、以下の説明において、インバータ４の出力する交流出力の周波数は、整流器１に入力される３相交流の周波数より、十分小さいとする。
【００１１】
整流器１は、外部から入力される３相交流（Ｕ相、Ｖ相及びＷ相）を整流して、コンデンサ２に対してＤＣ電流を供給する。ここで、整流器１は、サイリスタ１１、１２及び１３と、ダイオード１５、１６及び１７とから構成されている。
コンデンサ２は、平滑コンデンサであり、入力されるＤＣ電流により電荷を蓄積し、インバータ４が使用するＤＣ電圧を充電する。
電圧検出部３は、コンデンサ２に充電される電圧を測定し、測定電圧Ｖsとして点弧角制御部９へ出力する。
【００１２】
電流検出部７は、負荷に流れている電流値を測定し、測定電流Ｉkとして点弧角制御部９へ出力する。
電圧検出部８は、負荷に印加されている電圧値を測定し、測定電圧Ｖkとして点弧角制御部９へ出力する。
インバータ４は、例えば、ｎチャネル型のＭＯＳトランジスタ（以下、トランジスタ）４１、４２、４３及び４４から構成されており、トランジスタ４１及び４４と、トランジスタ４２及び４３とのそれぞれの組をオン、オフすることにより予め設定した周期の交流出力を生成する。
【００１３】
制御部９は、点弧角制御部９１及びインバータ制御部９２から構成されている。ここで、点弧角制御部９１はコンデンサ２に充電されたＤＣ電圧の電圧値と、負荷１０に供給されている交流電力における交流電流及び交流電圧により、サイリスタ１１〜１３を一括点呼する制御点弧角θonを算出し、入力される３相交流の位相角θが求めた制御点弧角θonとなると、サイリスタ１１〜サイリスタ１２３を一括点弧する制御を行う。このように、点弧角制御部９１は、サイリスタ１１、１２及び１３を一括点弧する制御点弧角θonを、検コンデンサ２に充電された検出電圧Ｖs、負荷１０に供給されている交流電圧の検出電圧Ｖk及び負荷１０に供給されている交流電流の検出電流Ｉkから生成し、サイリスタ１１〜１３を一括点弧する。
インバータ制御部９２は、トランジスタ４１〜４４のオンオフ制御を行い、コンデンサ２に充電されているＤＣ電圧から、予め設定されている電圧値及び周期の交流出力を生成し、負荷１０に供給する。
【００１４】
次に、点弧角制御部９１の構成を図２を用いて説明する。図２は、点弧角制御部９１の構成例を示すブロック図である。本実施形態において、入力される３相交流の各相の周期は、検出電圧Ｖs、Ｖk及び検出電流Ｉkをサンプリングし、主制御部１及び副制御部２にて制御点弧角θonの生成を行う一定の制御周期より十分に長く、インバータ４が出力する交流出力の周期より十分に短い。また、負荷１０に供給される交流電力の周期は３相交流の周期より十分に長い。例えば、３相交流の各相の周期が６ｍＳであり、検出の一定周期が５０μＳであり、交流出力が１６ｍＳ程度の関係にある。
点弧角制御部９１は、主制御部９１１、副制御部９１２、位相角算出部９１３及び点弧制御部９１４から構成されてる。
主制御部９１１には、インバータ４が交流出力を生成するために、コンデンサ２に充電する必要のある電圧範囲が、予め設定電圧Ｖtを中心としてΔＶの幅にて設定されている。
また、主制御部９１１は、上記設定電圧Ｖtと、測定電圧Ｖsとの差分電圧ΔＶを算出し、この差分電圧ΔＶが「０」に近づくように、ＰＩＤ（Proportional Integral Differential）制御により、サイリスタ１１〜１３を一括点弧する位相角である点弧角θpを求める。
【００１５】
副制御部９１２は、電圧検出部８の検出した検出電圧Ｖkと、電流検出部７が検出した検出電流Ｉkとにより、すなわち検出電圧Ｖk及び検出電流Ｉkを乗算することにより、負荷１０が消費する瞬時電力値ΔＷを求め、この瞬時電力値ΔＷの極性（＋または−）から、負荷に対して電力を供給している（＋）か、あるいは負荷から電力が回生されている（−）かを検出する。
また、副制御部９２１は、上記瞬時電力値ΔＷにより、主制御部９１１が求めた点弧角θpを、瞬時電力値が＋ΔＷの場合、電力がコンデンサ２から負荷１０に供給されるので、整流器１からコンデンサ２へ供給する電力を増加させる必要があり、ΔＷに対応する点弧角分を早める補正をし、一方、瞬時電力値が−ΔＷの場合、電力が負荷１０からコンデンサ２に対して回生されるので、整流器１からコンデンサ２へ供給する電力を減少させる必要があり、ΔＷに対応する点弧角分遅らせる補正を行い、補正結果を制御点弧角θonとして点弧制御部９１４へ出力する。
【００１６】
位相角算出部９１３は、３相交流におけるいずれか一相の交流波形を基準とし、すなわちいずれか一相のゼロクロス間隔を検出することにより、この一相のゼロクロスの位相角が他の２層とのゼロクロスの位相角と６０°ずつずれていることを利用し、上記一相にて検出したゼロクロス間の時間を３等分することにより、図３に示すように、３相のゼロクロスの位相角及び位相角の変化を算出し、ゼロクロス間の位相角を０°〜６０°の周期にて点弧制御部９１４へ出力する。図３の左側の縦軸は三相交流の電圧値を示しており、横軸は三相交流の位相角を示している。
【００１７】
ここで、本実施形態において、位相角算出部９１３は、例えば、位相Ｗのゼロクロス間隔の時間を測定することにより、これ基準として位相Ｖ及びＷのゼロクロスの時間を算出し、それぞれのゼロクロスの位相角を求める。例えば、位相Ｗのゼロクロスする位相角０°及び１８０°間の時間を３分割し、それぞれＵ相がゼロクロスする６０°、Ｖ相がゼロクロスする１２０°を求め、各ゼロクロス間の位相角を０°〜６０°として、予め設定した刻み幅（分解能、例えば１°）単位にて、位相角の情報を点弧角制御部９１４へ出力する。
【００１８】
点弧制御部９１４は、副制御部９１２から周期的に入力される制御点弧角θonと、位相角算出部９１３から入力される位相角θ（０°≦θ≦６０°）とを比較し、位相角θが制御点弧角θonを超えた時点にて、サイリスタ１１〜１３の一括点弧を行う。したがって、点弧制御部９１４は、制御点弧角θonが６０°を超えている場合、そのゼロクロス間隔にてはサイリスタ１１〜１３の点弧を行わない。次のゼロクロス間隔において、主制御部９１１が新たなＰＩＤ演算により点弧角θpを求め、副制御部９１２が新たに入力される検出電圧Ｖk及び検出電流Ｉkにより得られる瞬時電力値ΔＷにより、点弧角θpを補正して制御点弧角θonの演算を行う。
【００１９】
また、主制御部９１１は、差電圧演算部９２１及びＰＩＤ制御部９２２から構成されている。
ここで、差電圧制御部９２１は、設定電圧Ｖt（例えば、ＤＣ電圧の電圧値の制御範囲Ｖt±ΔＶの中央値）から検出電圧Ｖsを減算して、差分電圧ΔＶを求めてＰＩＤ制御部９２２へ出力する。
ＰＩＤ制御部９２２は、入力された差分電圧ΔＶの極性（＋あるいは−のいずれかであるかを示す情報）と、差分電圧ΔＶの電圧値とにより、差分電圧ΔＶが小さくなるように、位相角制御に対応して予め設定したＰＩＤ演算式によりＰＩＤ演算を行い、サイリスタ１１〜１３を一括点弧する点弧角θpを要求値として求める。この演算するタイミングは、後述する瞬時電力値を演算するタイミングと同期が取られている。
【００２０】
また、副制御部９１２は、点弧角変換部９３１、瞬時電力値演算部９３２及び点弧電力モデル記憶部９３３から構成されている。
瞬時電力値演算部９３２は、入力される検出電圧Ｖkと、検出電流Ｉkとを乗算して、瞬時電力値ΔＷを算出し、点弧角変換部９３１へ出力する。
点弧角変換部９３１は、上記瞬時電力値ΔＷ及び点弧角θpが入力されると、点弧電力モデル記憶部９３３に記憶されている点弧電力曲線の情報（供給余裕電力値Ｗと、点弧角θの関係を点弧電力曲線を示す式、あるいはこの式により求めた電力値Ｗと、点弧角θの関係を示すテーブルなど）を読み出す。
【００２１】
そして、点弧角変換部９３１は、上記点弧電力曲線の式から点弧各θpに対応する電力値Ｗを求め、瞬時電力値ΔＷが極性が正（＋）の場合、負荷１０に電力を供給するため、図４に示すように、電力値Ｗに瞬時電力値ΔＷを加算し、加算結果の電力値Ｗ＋ΔＷに対応する点弧角を制御点弧角θonとして上記点弧電力曲線の式から求める。これにより、点弧角変換部９３１は、瞬時電力値ΔＷに対応する点弧角調整量Δθ（＋）分、点弧角θpを早めることとなる。図４の縦軸は点弧電力曲線の示す供給余裕電力の電力値を示しており、横軸は点弧電力曲線の位相角を示している。
【００２２】
また、点弧角変換部９３１は、上記点弧電力曲線の式から点弧各θpに対応する電力値Ｗを求め、瞬時電力値ΔＷが極性が負（−）の場合、負荷１０に電力を供給するため、図４に示すように、電力値Ｗに瞬時電力値ΔＷを減算し、加算結果の電力値Ｗ−ΔＷに対応する点弧角を制御点弧角θonとして上記点弧電力曲線の式から求める。これにより、点弧角変換部９３１は、瞬時電力値ΔＷに対応する点弧角調整量Δθ（−）分、点弧角θpを遅くすることとなる。
上述したように、点弧角変換部９３１は、瞬時電力値ΔＷに対応した増減（回生にて増、供給にて減）の位相分を、点弧角θpに反映させ、サイリスタ１１〜１３を一括点弧する制御点弧角θonとして点弧制御部９１４へ出力する。
【００２３】
この図３における点弧電圧曲線（２点鎖線）は、下記の（１）式により形成されている。図３の右側の縦軸は点弧電力曲線の示す供給余裕電力の電力値Ｗを示しており、横軸は点弧電力曲線の位相角を示している。
Ｗ＝Ｖｐｅａｋ２／Ｚ                      …（１）
ここで、Ｚは点弧毎の整流器１の出力インピーダンスとし（仮のインピーダンスとする）、すなわち、点弧角を変数としたインピーダンス関数である。上記（１）式は、いずれかの交流の相のゼロクロスから、いずれかの交流の相のゼロクロスまでの、ゼロクロス間隔の周期内における点弧角の相対的な変化に対応した電力の供給量を示し、３相交流により整流器１ががコンデンサ２に対して供給可能な供給余裕電力として定義している。
【００２４】
上記インピーダンスは、以下のように求められる数値である。すなわち、整流器１の出力に対して固定の負荷を接続し、この整流器１に入力される３相交流のピーク電圧値Ｖpeakに対して流れる電流を測定し、この測定結果から算出した数値を上記インピーダンスとして用いている。すなわち、上記インピーダンスは、３相交流源個々の特性に応じた数値であり、３相交流源固有のものである。また、インピーダンスＺは、ゼロクロス間において、位相角の増加に伴って増加する特性を有している。このため、供給電力余裕Ｗは、ゼロクロス間において、ゼロクロス間において、位相角θが増加するに従い、最大電力値Ｗmaxから最小電力値Ｗminへ単調減少する特性となる。
【００２５】
上記点弧電力曲線を示す（１）式において、上記式におけるＶｐｅａｋ（及び−Ｖｐｅａｋ）は３相交流のピーク電圧である。また、インピーダンスＺは、ゼロクロス間隔の周期、すなわち０°から６０°の周期における周期関数であり、各周期のゼロクロス間を０°〜６０°として一般化して、ゼロクロス間隔の周期とし、３相の交流電力により供給できる電力である上記電力余裕の近似式である（１）式として表すことができる。
【００２６】
また、（１）式におけるインピーダンスＺは位相角θをパラメータとした数値であるため、以下に示す（２）式として、（１）式を表すことができる。
Ｗ＝Ｋ／θ        （０≦θ≦６０）   …（２）
（２）式は、（１）式と同様に、位相角θにてサイリスタの一括点弧した場合、次のゼロクロスまでに整流器１が供給することのできる電力値である供給余裕電力を示している。
Ｋは、ゼロクロスの位相角周期の角度範囲（すなわち、０°〜６０°）の角度θにて除算することにより、（１）式におけるその角度θに対応するインピーダンスＺにてＶｐｅａｋ２を減算にした値と同様の数値を近似的に求める係数式である。
【００２７】
また、すでに述べたように、上記ゼロクロス間は、位相角の０°〜６０°の範囲であり、例えば、Ｕ相が位相角０でゼロクロスし、Ｗ相が位相角６０にてゼロクロスする位相範囲をゼロクロス間隔の１周期としている。
３相交流の各相のゼロクロス間隔内にて、上記（１）式が成り立つことから、この（１）を変形した「位相角と供給余裕電力との対応を示す」（２）式を用いることにより、ＰＩＤ制御により求めた点弧角θpにおける供給余裕電力の電力値に対して、瞬時電力値ΔＷを加算（極性が正の場合）、または減算（極性が負の場合）することにより、瞬時電力値ΔＷに対応する点弧角調整量Δθを、点弧角θpから減算（極性が正の場合）、または加算（極性が負の場合）することができ、負荷の変動に対応して制御点弧角θonを微調整することができる。
【００２８】
したがって、点弧角変換部９３１は、点弧電力モデル記憶部９３３に記憶されている上記（２）式により、点弧角θpに対し、入力される瞬時電力値ΔＷに対応した点弧角調整量Δθが調整された制御点弧角を算出し、整流器１のサイリスタ１１〜１３を一括点弧する制御点弧角θonとして点弧制御部９１４へ出力する。
また、上記点弧電力モデル記憶部９３３に、上記（２）式から、すなわち点弧電力曲線からそれぞれの供給余裕電力の電力値Ｗに対応する位相角θを求め、電力値Ｗ毎に対応させてテーブルとして記憶させておき、点弧角変換部９３１が、入力される点弧角θに対応した電力値Ｗをテーブルから読み出し、この電力値Ｗに瞬時電力値ΔＷを反映させ（ΔＷが正の場合に電力値Ｗに加算、ΔＷが負の場合に電力値Ｗから減算）て、反映させた電力値Ｗに対応する点弧角を制御点弧角θonとして、点弧電力モデル記憶部９３３の上記テーブルから読み出すようにしても良い。
【００２９】
次に、図１、図２及び図５を用いて本実施形態におけるインバータ装置の制御動作を説明する。この図５は、本実施形態によるインバータ装置の動作例を示すフローチャートである。
点弧角調整量制御部９１は、予め設定された一定周期毎に、図５のフローチャートの動作を行いサイリスタ１１〜１３を一括点弧する制御点弧角θonを求め、インバータ４から負荷１０に対して歪率の小さな交流波形により電力の供給を行う。
点弧角調整量制御部９１は、予め設定された周期の時刻となると、サイリスタ１１〜１３を駆動する点弧角を求め、サイリスタ１１〜１３を駆動する処理を開始する。
【００３０】
点弧角制御部９１におけるサイリスタ１１から１３に対する制御処理が開始されることにより、差電圧演算部９２１は、内部に設定されている設定電圧Ｖtから、電圧検出部３より入力されている検出電圧Ｖsを減算し、差電圧ΔＶを算出する。
また、瞬時電力演算部９３２は、電流検出部７から入力される検出電流Ｉkと、電圧検出部８から検出電圧Ｖkと入力し、処理をステップＳ２へ進める（ステップＳ１）。
【００３１】
そして、ＰＩＤ制御部９２２は、差電圧演算部９２１から入力される差電圧ΔＶにより、操作量として点弧角θpを出力する（  ステップＳ２）。ここで、ＰＩＤ制御９２２は、差電圧ΔＶから点弧角θpを求めるＰＩＤ演算を、例えば以下の（３）式及び（４）式により行う。
θｎ ＝ θｎ−１ ＋ Δθｎ                 …（３）
Δθｎ＝Ｋp(ΔＶｎ−ΔＶｎ−１) + Ｋi×ΔＶｎ
＋Ｋd（（ΔＶｎ−ΔＶｎ−１)−（ΔＶｎ−１−ΔＶｎ−２）） …（４）  
上記（３）及び（４）式において、θn：今回の操作量、θｎ−１：前回の操作量、Δθｎ：前回と今回との操作量差分、ΔＶｎ：今回の偏差、ΔＶｎ−１：前回の偏差、ΔＶｎ−２：前々回の偏差である。
【００３２】
この際、ＰＩＤ演算において、前回の点弧角θに反映させて今回の点弧角を求める差分を算出するときに用いる、「前回と今回の偏差の差」と、「今回の偏差」と、「前回及び今回の偏差と前回及び前々回の偏差の差との差」とのそれぞれに対して乗算する係数Ｋp、Ｋi、Ｋdは、コンデンサ２に充電される電圧変化の特性に対応させて、予め設定しておく。
また、ＰＩＤ制御部９２２は、演算した結果の点弧角θpを点弧角変換部９３１へ出力する。
【００３３】
次に、瞬時電力値演算部９３２は、入力された検出電流Ｉk及び検出電圧Ｖkを乗算し、瞬時電力値ΔＷを算出し、点弧角変換部９３１へ出力する（ステップＳ３）。
【００３４】
上記瞬時電力値Δpが入力されるとに、点弧制御部９１４は、上記瞬時電力値ΔＷの極性情報により、入力される点弧角調整量Δθの極性を判定し（ステップＳ４）、すなわち「＋（有効電力）」か「−（無効電力）」かの判定を行い、＋であれば処理をステップＳ５へ進め、一方、−であればステップＳ６へ進める。
【００３５】
そして、点弧角調整量Δθの極性が＋と判定されると、点弧制御部９１４は、電力がコンデンサ２から負荷１０に対して供給されるため、コンデンサ２に対して電力を供給を開始する点弧角を早める必要があり、図４に示すように、上記ＰＩＤ演算により算出された点弧角θpから（２）式を用いて供給余裕電力Ｗを求め、この供給電力余裕Ｗに対して瞬時電力値ΔＷを加算し、算出された電力値Ｗ＋ΔＷから、（２）式を用いて点弧角を求め、この点弧角を制御点弧角θonとして出力し（ステップＳ５）、処理をステップＳ７へ進める。これにより、ＰＩＤ演算により求めた点弧角θpから、負荷１０へ供給する瞬時電力量ΔＷに対応する点弧角調整量Δθ（＋）を減算することで、点弧角θpを瞬時電力値ΔＷにより微調整することができる。
【００３６】
一方、点弧角調整量Δθの極性が−と判定されると、点弧制御部９１４は、電力が負荷１０からコンデンサ２に対して回生されるため、コンデンサ２に対して電力を供給を開始する点弧角を遅める必要があり、図４に示すように、上記ＰＩＤ演算により算出された点弧角θpから（２）式を用いて供給余裕電力Ｗを求め、この供給電力余裕Ｗに対して瞬時電力値ΔＷを減算し、算出された電力値Ｗ−ΔＷから、（２）式を用いて点弧角を求め、この点弧角を制御点弧角θonとして出力し（ステップＳ６）、処理をステップＳ７へ進める。これにより、ＰＩＤ演算により求めた点弧角θpから、負荷１０へ供給する瞬時電力量ΔＷに対応する点弧角調整量Δθ（−）を減算することで、点弧角θpを瞬時電力値ΔＷにより微調整することができる。
【００３７】
また、本実施形態においては、すでに述べたように、位相角算出部９１３は、フローチャートの処理とは関係なく、各ゼロクロスから次のゼロクロスまでの位相角のカウントを、例えば、Ｗ相のゼロクロスから、Ｗ相の次のゼロクロスまでの時間をカウントすることにより、各ゼロクロス間における位相変化を出力する。各ゼロクロス周期間毎に、演算に０°から６０°範囲の周期関数（上記（２）式）を用いているため、位相角算出部９１３は、ゼロクロス間において、各位相角θを０°〜６０°間にて周期的に変化させている。
【００３８】
そして、点弧制御部９１４には、位相角検出部９３１からゼロクロス間における現在の位相角θが入力されている（ステップＳ７）。
このとき、点弧制御部９１４は、位相角検出部９３１から入力される位相角θが、制御点弧角θonとなるとサイリスタ１１〜１３の一括点弧を行う（ステップＳ８）。
ここで、点弧制御部９１４は、位相角θが制御点弧角θonを超えている場合、その時点にてサイリスタ１１〜１３の一括点弧を行う。
また、ステップＳ８において、位相角θが制御点弧角θonとなる前に、制御点弧角θonを演算する周期となるとステップＳ１に戻り、ステップＳ１〜ステップＳ８の動作を行う。
【００３９】
また、サイリスタ１１〜１３には、点弧するための電流を流しても起動しない不感帯（各ゼロクロス近傍）が存在する。このため、点弧制御部９１４は、上記不感帯に制御点弧角が設定された場合、予め設定されている不感帯を超えた直後の点弧角に置き換えて、サイリスタ１１〜１３の点弧制御を行う。
【００４０】
上述したように、本実施形態によれば、主制御部９１１がコンデンサ２の電圧変化に対応してＰＩＤ演算により求めた、サイリスタ１１〜１３の一括点弧を行う点弧角θpを、負荷変動に対してリアルタイムに微調整するため、上記点弧電力曲線から点弧角θpに対応する供給余裕電力Ｗを求め、この供給余裕電力Ｗに瞬時電力値ΔＷをその極性に応じて反映させ、上記点弧電力曲線から反映された電力値に対応する点弧角θを求め、この点弧角を制御点弧角θonとし、主制御部９１１の求めた点弧角θpの微調整を行うので、コンデンサ２におけるＤＣ電圧に重畳するリップルなど、負荷１０の変動に起因した変化を抑制することができる。
したがって、インバータ４から負荷１０に電力を供給する交流波形の歪率を従来に比較して低減させることが可能となる。
【００４１】
また、本発明によれば、３相交流それぞれの相に対応するサイリスタを個別に制御するのではなく、図３における３相交流に対応するサイリスタ１１〜１３を一括点弧する点弧角θと、この点弧角θにおける供給電力余裕Ｗとの単純な対応関係（上述した点弧電力曲線）を用いることにより、簡易な回路にて容易に制御点弧角θonを算出することが可能となり、サイリスタを一括点弧する構成のため、従来に比較して回路規模を小さくし、製造コストの上昇を抑制することができる。
【図面の簡単な説明】
【００４２】
【図１】本発明の一実施形態によるインバータ装置の構成例を示すブロック図である。
【図２】図１における点弧角制御部９１の構成例を説明するブロック図である。
【図３】三相交流の電圧、及び図１の点弧電力モデル記憶部９３３に記憶されている点弧電力曲線の供給余裕電力の電力値と、位相角との対応を示すグラフである。
【図４】点弧電力曲線において、瞬時電力値ΔＷによる点弧角θpを行い、制御点弧角θonの算出を説明する図１の点弧電力モデル記憶部９０３に記憶されている、三相交流の位相角と、整流器１の出力する供給余裕電力との対応を示すグラフである。
【図５】図１のインバータ装置の動作例を説明するフローチャートである。
【符号の説明】
【００４３】
１…整流器
２，６…コンデンサ
３，８…電圧検出部
４…インバータ
５…インダクタ
７…電流検出部
９…制御部
１０…負荷
９１１…主制御部
９１２…副制御部
９１３…位相角検出部
９１４…点弧制御部
９２１…差電圧演算部
９２２…ＰＩＤ制御部
９３１…点弧角変換部
９３２…瞬時電力値演算部
９３３…点弧電力モデル記憶部
【図１】
2010017062.tif 000003
【図２】
2010017062.tif 000004
【図３】
2010017062.tif 000005
【図４】
2010017062.tif 000006
【図５】
2010017062.tif 000007